(57)【特許請求の範囲】
【請求項１】
ＬＥＤ発光装置（１０）、デジタルミラーデバイス（ＤＭＤ）、及び、光学系投射装置（５０）、及び、焦点調節デバイス（５５）からなり画像表示面（Ｓ）に画像情報を拡大表示するプロジェクター付き携帯電話装置において、当該画像情報が、当該携帯電話装置に記憶されている画像情報、及び／又は、他の携帯電話装置から送信されてきた画像情報であると共に、ＬＥＤ発光装置（１０）が、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させて、発光させた赤色、緑色、青色をデジタルミラーデバイス（ＤＭＤ）に当てて反射させて画像光とした後に、光学系投射装置（５０）が、画像表示面（Ｓ）に画像情報を拡大表示し、
画像表示面Ｓに拡大投射された投射画像の目盛り部の画像の目盛りの点をレーザーポインターで指し示した指し部ＬＰ０とし、画像表示面（Ｓ）に表示させる画像情報をカメラ（ＣＡ）で撮影し、画像処理によってレーザーポインターの指し点（Ｐ０）の位置を算出することによりパラメーターαがあたえられ、焦点調節デバイス（５５）が与えられたパラメーターαに応じて画像表示面（Ｓ）に拡大表示する画像情報の焦点を合わせることを特徴とするプロジェクター付き携帯電話装置。
【請求項２】
白色ＬＥＤ発光装置（２０）、デジタルミラーデバイス（ＤＭＤ）、及び、光学系投射装置（５０）、及び、焦点調節デバイス（５５）からなり画像表示面（Ｓ）に画像情報を拡大表示するプロジェクター付き携帯電話装置において、当該画像情報が、当該携帯電話装置に記憶されている画像情報、及び／又は、他の携帯電話装置から送信されてきた画像情報であると共に、白色ＬＥＤ発光装置（２０）が、白色ＬＥＤとカラーホイールからなり、カラーホイールは、白色ＬＥＤとデジタルミラーデバイス（ＤＭＤ）の間に配置し回転させて、赤色、緑色、青色の光を時分割により発光させて、発光させた赤色、緑色、青色をデジタルミラーデバイス（ＤＭＤ）に当て反射させて画像光とした後に、光学系投射装置（５０）が、画像表示面（Ｓ）に画像情報を拡大表示し、
画像表示面Ｓに拡大投射された投射画像の目盛り部の画像の目盛りの点をレーザーポインターで指し示した指し部ＬＰ０とし、画像表示面（Ｓ）に表示させる画像情報をカメラ（ＣＡ）で撮影し、画像処理によってレーザーポインターの指し点（Ｐ０）の位置を算出することによりパラメーターαがあたえられ、焦点調節デバイス（５５）が与えられたパラメーターαに応じて画像表示面（Ｓ）に拡大表示する画像情報の焦点を合わせることを特徴とするプロジェクター付き携帯電話装置。
【請求項３】
ＬＥＤ発光装置（１０）、デジタルミラーデバイス（ＤＭＤ）、及び、光学系投射装置（５０）、及び、焦点調節デバイス（５５）からなり画像表示面（Ｓ）に画像情報を拡大表示するプロジェクター付き携帯電話装置において、当該画像情報が、当該携帯電話装置に記憶されている画像情報、及び／又は、他の携帯電話装置から送信されてきた画像情報であると共に、ＬＥＤ発光装置（１０）が、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させて、発光させた赤色、緑色、青色をデジタルミラーデバイス（ＤＭＤ）に当てて反射させて画像光とした後に、光学系投射装置（５０）が、画像表示面（Ｓ）に画像情報を拡大表示し、
画像表示面Ｓに拡大投射された投射画像の目盛り部の画像の目盛りの点を指し棒（ＰＢ）で指し示した指し部（ＬＰ０）とし、画像表示面（Ｓ）に表示させる画像情報をカメラ（ＣＡ）で撮影し、画像処理によってレーザーポインターの指し点（Ｐ０）の位置を算出することによりパラメーターαがあたえられ、焦点調節デバイス（５５）が与えられたパラメーターαに応じて画像表示面（Ｓ）に拡大表示する画像情報の焦点を合わせることを特徴とするプロジェクター付き携帯電話装置。
【請求項４】
白色ＬＥＤ発光装置（２０）、デジタルミラーデバイス（ＤＭＤ）、及び、光学系投射装置（５０）、及び、焦点調節デバイス（５５）からなり画像表示面（Ｓ）に画像情報を拡大表示するプロジェクター付き携帯電話装置において、当該画像情報が、当該携帯電話装置に記憶されている画像情報、及び／又は、他の携帯電話装置から送信されてきた画像情報であると共に、白色ＬＥＤ発光装置（２０）が、白色ＬＥＤとカラーホイールからなり、カラーホイールは、白色ＬＥＤとデジタルミラーデバイス（ＤＭＤ）の間に配置し回転させて、赤色、緑色、青色の光を時分割により発光させて、発光させた赤色、緑色、青色をデジタルミラーデバイス（ＤＭＤ）に当て反射させて画像光とした後に、光学系投射装置（５０）が、画像表示面（Ｓ）に画像情報を拡大表示し、
画像表示面Ｓに拡大投射された投射画像の目盛り部の画像の目盛りの点を指し棒（ＰＢ）で指し示した指し部ＬＰ０とし、画像表示面（Ｓ）に表示させる画像情報をカメラ（ＣＡ）で撮影し、画像処理によってレーザーポインターの指し点（Ｐ０）の位置を算出することによりパラメーターαがあたえられ、焦点調節デバイス（５５）が与えられたパラメーターαに応じて画像表示面（Ｓ）に拡大表示する画像情報の焦点を合わせることを特徴とするプロジェクター付き携帯電話装置。
【請求項５】
上記パラメーターαが、焦点調節デバイス（５５）と画像表示面（Ｓ）の距離に相当するパラメーターであることを特徴とする請求項１〜４にの何れかに記載されたプロジェクター付き携帯電話装置。
【請求項６】
上記プロジェクター付き携帯電話装置において、画像表示面（Ｓ）にレーザーポインターによって指し点（Ｐ０）の画像を表示させる場合、画像表示面（Ｓ）に表示させる画像情報をカメラ（ＣＡ）で撮影し、画像処理によってレーザーポインターの指し点（Ｐ０）の位置を算出することを特徴とする請求項１〜５の何れかに記載されたプロジェクター付き携帯電話装置。
【請求項７】
上記プロジェクター付き携帯電話装置において、画像表示面（Ｓ）に指し棒ＰＢによって指し棒（ＰＢ）の画像を表示させる場合、画像表示面（Ｓ）に表示させた画像をカメラ（ＣＡ）で撮影し、得た画像情報を画像処理によって指し棒（ＰＢ）の指し点（Ｐ０）の位置を算出することを特徴とする請求項１〜６の何れかに記載されたプロジェクター付き携帯電話装置。
【請求項８】
上記プロジェクター付き携帯電話装置において、画像表示面（Ｓ）が掌であることを特徴とする請求項１〜４の何れかに記載されたプロジェクター付き携帯電話装置。
【請求項９】
上記プロジェクター付き携帯電話装置において、画像表示面（Ｓ）がスクリーン、壁、ノート、紙面等であることであることを特徴とする請求項１〜８の何れかに記載されたプロジェクター付き携帯電話装置。
【請求項１０】
上記プロジェクター付き携帯電話装置において、電源の充電は、充電器に繋いで充電する、又は、自動巻き装置により充電する、又は、バンドをソーラ―システムとして充電することを特徴とする請求項１〜９の何れかに記載されたプロジェクター付き携帯電話装置。
【請求項１１】
上記携帯電話装置が、腕時計型ウェアラブル携帯電話装置、又は、ペンダント型ウェアラブル携帯電話装置であることを特徴とする請求項１〜１０の何れかに記載されたプロジェクター付き携帯電話装置。
【発明の詳細な説明】
【技術分野】
【０００１】
本発明は、プロジェクター付き携帯電話装置に関する。
【背景技術】
【０００２】
従来は、ＬＥＤ発光装置／又はレーザー発光装置、デジタルミラーデバイス、及び、光学系投射装置からなり画像表示面に画像情報を拡大表示するプロジェクターは専用スクリーンと共に運搬する必要があり、上記プロジェクターは大型であり、上記プロジェクターと専用スクリーンは簡便に携帯運搬できるものではなかった。
【０００３】
また、上記プロジェクターは現在の携帯電話に比較して大型であるので、現在の携帯電話に上記プロジェクターを組み込んで、簡便に携帯運搬できるようにすることはできなかった。
さらに、プロジェクター専用のスクリーンをプロジェクターと共に携帯運搬しなくても、画像表示面に画像情報を拡大表示する小型プロジェクターの出現が望まれ、かつ、かかる小型プロジェクターが携帯電話に組み込まれたプロジェクター付き携帯電話装置の出現が望まれていた。
【先行技術文献】
【特許文献】
【０００４】
本願発明に係るプロジェクター付き携帯電話装置について、ＦＩ、キーワード検索を行ったところ、本件発明（請求項１に記載されたプロジェクター付き携帯電話装置）に近い発明等記載文献は、発見されませんでしたので、特許文献の記載は省略する。
【特許文献１】省略する。
【発明の概要】
【発明が解決しようとする課題】
【０００５】
○本発明が解決しようとする第１課題
本発明が解決しようとする第１課題は、従来の携帯情報装置の表示画面より大きな面積の画像表示面に拡大表示することが可能で、かつ、プロジェクター専用のスクリーンを携帯しなくても、どこでも画像表示面に拡大表示することが可能であるプロジェクター付き携帯電話装置を提供することである。
○本発明が解決しようとする第２課題
本発明が解決しようとする第２課題は、小型で、かつ、身に着けて携帯することができ、画像表示面に高画質な画像を拡大表示することができ、かつ、消費エネルギーの少ないプロジェクター付き携帯電話装置を提供することである。
○本発明が解決しようとする第３課題
本発明が解決しようとする第３課題は、画像表示面であるスクリーン、壁、ノート、紙面等がなくても、画像表示面が体の一部、例えば掌（手の平）に拡大表示することが可能であるプロジェクター付き携帯電話装置を提供することである。
○本発明が解決しようとする第４課題
本発明が解決しようとする第４課題は、簡単に焦点を合わせてピントの合ったシャープな画像を画像表示面に拡大表示させることができるプロジェクター付き携帯電話装置を提供することである。
○本発明が解決しようとする第５課題
本発明が解決しようとする第５課題は、画像表示面にレーザーポインターの指し点の画像、又は、指し棒の指し点の画像を表示させると共に、レーザーポインターの指し点の位置、又は、指棒の指し点の位置を算出することができるプロジェクター付き携帯電話装置を提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
●ＬＥＤ発光装置とは、ＬＥＤからなる発光装置をいう。本発明においては、ＬＥＤ発光装置１０と白色ＬＥＤ発光装置２０と２種類の発光装置がある。
単に、ＬＥＤ発光装置という場合は、ＬＥＤ発光装置１０と白色ＬＥＤ発光装置２０と２種類の発光装置を含むものとする。
●ＬＥＤ（ｌｉｇｈｔ  ｅｍｉｔｔｉｎｇ  ｄｉｏｄｅ）とは、半導体のｐｎ接合部に電圧を加えると、赤色、緑色、青色などに発光する素子をいう。赤色を発光する素子を赤色ＬＥＤ、緑色を発光する素子を赤色ＬＥＤ、青色を発光する素子を赤色ＬＥＤという。燐化（りんか）ガリウム・ガリウム砒素（ひそ）などの化合物半導体が用いられる。
●ＬＥＤ発光装置１０とは、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させる装置をいう。
ＬＥＤ発光装置１０によって発光させた赤色、緑色、青色をデジタルミラーデバイスＤＭＤに当てて反射させて画像光ｇｌとした後に、光学系投射装置５０が、画像表示面Ｓに画像情報を拡大表示する。
●白色ＬＥＤ発光装置２０とは、ＬＥＤを用いた白色の発光装置をいう。白色ＬＥＤ発光装置２０には、
（１）発光ダイオードのうち、白色の光を発するもの
（２）青色発光ダイオードに黄色の蛍光体を組み合わせたもの
（３）赤・青・緑の発光ダイオードを同時に発光させて白色光を得るもの
などがある。
●カラーホイールとは、白色ＬＥＤ発光装置とデジタルミラーデバイスＤＭＤの間に配置し、高速で回転させて、赤色、緑色、青色の光を時分割によりデジタルミラーデバイスＤＭＤに当て反射させるデバイスをいう。
●レーザー発光装置３０とは、レーザー光を発光する半導体レーザー装置をいう。
●デジタルミラーデバイスＤＭＤ（Ｄｉｇｉｔａｌ  Ｍｉｒｒｏｒ  Ｄｅｖｉｃｅ）とは、テキサス・インスツルメンツ  （Ｔｅｘａｓ  Ｉｎｓｔｒｕｍｅｎｔｓ）  によって開発された、ＭＥＭＳデバイスで、多数の微小鏡面（マイクロミラー）を平面に配列した表示素子である。
●光学系投射装置５０とは、ＬＥＤ光、レーザー光をデジタルミラーデバイスＤＭＤに当て反射させて画像光ｇｌとした後に、光学系投射装置５０内に内蔵する光学系レンズで画像表示面Ｓに画像情報を拡大して表示するための装置をいう。
●焦点調節デバイス５５とは、与えられたパラメーターαに応じて光学系投射装置５０に内蔵された光学レンズの位置を変えることにより画像表示面Ｓに表示する画像情報の焦点を合わせるためのデバイスをいう。
●画像表示面Ｓとは、ＬＥＤ発光装置１０によって発光された赤色、緑色、青色をデジタルミラーデバイスＤＭＤに当てて反射させて画像情報を拡大表示させるための表示面を言う。画像表示面Ｓとしては、スクリーン、又は、壁、又は、ノート、又は、紙面、掌（手の平）等がある。
●プロジェクター９９とは、光学的な投射装置の総称。特に、本発明においては、デジタルミラーデバイスＤＭＤに表される画像情報を画像表示面Ｓに拡大して表示する機器をいう。
●携帯電話装置とは、無線を用いた、小型で持ち運びができる電話装置の総称をいう。情報端末としての機能をもつものもある。特に断らない限り、携帯電話装置は、本発明に係るプロジェクター付き携帯電話装置内の携帯電話装置をいうものとする。
●他の携帯電話装置とは、本願特許請求範囲に記載された発明において、プロジェクター付き携帯電話装置（プロジェクター付き携帯電話装置内の携帯電話装置）とは、別の携帯電話装置をいうものとする。
一般的には、本発明に係る、プロジェクター付き携帯電話装置の所有者とは別の者が所有する携帯電話装置をいうが、同一の者が所有する別の携帯電話装置であっても構わない。
●画像とは、点・線・面・色など幾何学的な表現をいう。
●画像情報とは、点・線・面・色など幾何学的な表現を表すデジタル情報をいう。画像情報は、デジタルミラーデバイスＤＭＤに当て反射させた画像光ｇｌをスクリーンＳに投射することによって観察することができる。
画像情報は、画像記憶デバイスＧＭに記憶された画像情報、画像記憶デバイスＧＭから画像処理デバイス４０に送信されてきた画像情報、及び、カメラＣＡから画像処理デバイス４０に送信されてきた画像情報をいうものとするが、画像表示面Ｓに拡大表示された画像情報も含まれる。
また、デジタルミラーデバイス（ＤＭＤ）に当て反射させて生成した画像光（画像光には画像情報が含まれる。）も、画像情報（投射画像）も含まれる。
特に、画像表示面Ｓに拡大表示された画像情報を投射画像Ｇという。
●投射画像Ｇとは、画像光ｇｌをスクリーンＳに投射することによって観察することができる画像をいう。
●時分割とは、高速処理機能を時系列にそって振り分け、複数の処理を並行するのと同等の効果を上げる方法をいう。赤色ＬＥＤ、緑色ＬＥＤ、青色ＬＥＤが、一台のデジタルミラーデバイスＤＭＤに、発光させた赤色、緑色、青色をデジタルミラーデバイスＤＭＤに当てて反射させる場合において、発光処理を高速で順番に切り替える方式をいう。
●レーザーポインター（Ｌａｓｅｒ  Ｐｏｉｎｔｅｒ）ＬＰとは、レーザー光線を用いて投射画像の一点を指し示すために使うデバイスをいう。
●指し棒ＰＢとは、投射画像の一点を指し示すために使う棒をいう。画像表示面に表示された指し棒ＰＢの投射画像も指し棒ＰＢという。
●指し点Ｐ０とは、レーザーポインター／又は、指し棒ＰＢが指し示す点、／又は、当該点の位置（座標）をいう。
●デバイスとは、本発明のプロジェクター付き携帯電話装置を構成すると共に特定の機能を果たす装置をいう。
●プロジェクター付き携帯電話装置１００とは、当該携帯電話装置に記憶されている画像情報、及び／又は、他の携帯電話装置から送信されてきた画像情報を画像表示面Ｓに拡大表示するためのプロジェクターを組み込んだ携帯電話装置をいう。
●当該携帯電話装置に記憶されている画像情報とは、プロジェクター付き携帯電話装置１００内の画像記憶デバイスＧＭに記憶されている画像情報をいう。
●アンテナＡとは、当該プロジェクター付き携帯電話装置１００と他の携帯電話装置との間の画像情報等の無線情報を送受信するためのアンテナであり、プロジェクター付き携帯電話装置１００に設置されている。
●掌（手の平）とは、「手首から指の付け根までの部分。手の甲  反対側。」をいう。掌（手の平）をスクリーンとして利用するのは、観衆にはスクリーンＳに表示された画像情報は見えないが、プロジェクター付き携帯電話装置１００を利用する者には、スクリーンＳに表示された画像情報を見ることができ、プロジェクター画像の説明のためのメモとして利用することができるという大きな効果が期待できる。
●カメラＣＡ（デジタルカメラＣＡ）とは、画像表示面Ｓに投射された画像（投射画像Ｇ）を撮影して、撮影された画像情報を画像記憶デバイスＧＭ又は画像処理デバイスＧ０に送信するための機器をいう。
●画像記憶デバイスＭ０とは、画像情報を記憶させておくデバイスをいう。
●画像処理デバイス４０とは、投射画像を画像表示面Ｓに拡大表示するための画像処理を行うデバイスをいう。
●ＤＭＤ駆動デバイスとは、投射画像を画像表示面Ｓに拡大表示するためにＬＥＤ光、レーザー光をデジタルミラーデバイスＤＭＤに当て反射させるように駆動制御するデバイスをいう。画像光ｇｌとした後に、光学系投射装置５０内に内蔵する光学系レンズで画像表示面Ｓに画像情報を拡大して表示するための装置をいう。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜記号の説明＞
●パラメーターαとは、焦点調節デバイス５５において光学系投射装置のレンズ位置を決定するための数値をいう。パラメーターαは、光学系投射装置５０のレンズから画像表示面Ｓまでの距離ａの距離、／又は、距離ａの倍数、すなわち、Ｋａ×ａをいう（Ｋａは定数）。
ここに、
ａ：光学系投射装置５０のレンズから画像表示面Ｓまでの距離
ｂ：光学系投射装置５０のレンズからデジタルミラーデバイスＤＭＤまでの距離
ｆ：光学系投射装置５０のレンズの焦点距離
とすれば、焦点が合っている場合、下記の（１）式を得る。
１／ａ＋１／ｂ＝１／ｆ…（１）式
●与えられたパラメーターαとは、第１〜第３の与え方（後述する）によって焦点調節デバイス５５に与えることにより光学系投射装置５０のレンズ位置を決定するための数値をいう。
●画像光ｇｌとは、発光させたレーザー光をデジタルミラーデバイスＤＭＤに当て反射させた光をいう。光学系投射装置５０とは、発光させたレーザー光をデジタルミラーデバイスＤＭＤに当て反射させて画像光ｇｌとした後に、画像光ｇｌは、光学系投射装置５０内に内蔵する光学系レンズにより画像表示面Ｓに投射されて、画像情報が拡大して表示される。
●Ｇ０（ｘ，ｙ）：画像情報Ｇ０の点（ｘ，ｙ）のカラーコード等を、又は、画像情報Ｇ０の点（ｘ，ｙ）のカラーコード等の集合全体を表す。ここに、ｘ，ｙは座標点をあらわす。一般には、紙面に対して右方向にｘ座標をとり、上方向にｙ座標をとる。
●Ｇ（ｘ，ｙ）：２次元の投射画像（投射画像の名称をＧとする）のカラーコード等を、又は、投射画像Ｇの点（ｘ，ｙ）のカラーコード等の集合全体を表す。ここに、ｘ，ｙは座標点をあらわす。一般には、紙面に対して右方向にｘ座標をとり、上方向にｙ座標をとる。
●Ｐ０（ｘ，ｙ）：指し点Ｐの座標（ｘ，ｙ）を表す。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜パラメーターαの与え方＞
●パラメーターαの第１の与え方
パラメーターαの第１の与え方は、キーボードで数値を直接入力して焦点調節デバイス５５に与える（図示せず）。
●パラメーターαの第２の与え方
パラメーターαの第２の与え方は、つまみＴＮ等で与えられた変位量をＡ／Ｄ変換機ＡＤにより数値変換した数値を焦点調節デバイス５５に与える（図５を参照）。
●パラメーターαの第３の与え方
パラメーターαの第３の与え方は、画像表示面に拡大投射しようとする画像情報Ｇ０（ｘ，ｙ）とし、目盛り部Ｍ０の画像情報をＭ０（ｘ，ｙ）とすれば、
目盛り部Ｍ０の画像情報の範囲の（ｘ，ｙ）に対しては、（１−１）式で算出する。
Ｇ０（ｘ，ｙ）＝  Ｍ０（ｘ，ｙ）……（１−１）式
目盛り部Ｍ０の画像情報の範囲の（ｘ，ｙ）に対しては、（１−２）式で算出する。
Ｇ０（ｘ，ｙ）＝  Ｇ０（ｘ，ｙ）……（１−２）式
上記のようにして算出した、画像情報Ｇ０（ｘ，ｙ）を本発明に係る、プロジェクター付き携帯電話装置１００で画像表示面Ｓに拡大表示させると図７の図（ａ）のようになる。
ここに、背景画像（ＮＩＰＰＯＮ１／日本一／富士山の文字情報と富士山図形を表した画像情報）がＧ０（ｘ，ｙ）であり、目盛り部Ｍ０の画像情報がＭ０（ｘ，ｙ）であり、画像情報Ｍ０（ｘ，ｙ）は、標準図形として画像記憶デバイスＧＭに予め記憶されている。
そして、画像表示面Ｓに拡大投射された投射画像Ｇの目盛り部Ｍ０の画像の目盛りの点（点近傍の点）をレーザーポインター／又は、指し棒ＰＢで指し示し、かかる指し点Ｐ０の位置（ｘ，ｙ）を読み込むことにより、パラメーターαが与えられる（図７を参照）。例えば、図７において、目盛りは左側から右側に目盛ってあり、レーザーポインターＬＰの指し点Ｐ０と、左側の０点との距離αを、カメラＣＡＳによって画像情報として画像処理デバイス４０に読み込んだ後に、画像処理により算出する。算出後、焦点調節デバイス５５にパラメーターを与えて、焦点調節を行う。
指し点Ｐ０の画像処理による算出方法は、＜レーザーポーインターＬＰの指し部ＬＰ０から指し点の座標Ｐ０（ｘ，ｙ）を算出する方法＞、＜指し棒ＰＢから指し点の座標Ｐ０（ｘ，ｙ）を算出する方法＞と同様である。
●パラメーターαが与えられた後
パラメーターαの第１〜第３の与え方の何れかの方法によって、パラメーターαが与えられた後は、パラメーターαから光学系投射装置５０のレンズから画像表示面Ｓまでの距離ａを求め、その値を引数として（１）式に代入してすることにより、光学系投射装置５０のレンズ位置ｂを求め、焦点調節デバイス５５により光学系投射装置５０のレンズ位置を変えることにより画像表示面Ｓに表示する画像情報の焦点を合わせることができる。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜レーザーポーインターＬＰの指し部ＬＰ０から指し点の座標Ｐ０（ｘ，ｙ）を算出する方法＞
●ステップ１（図８の図（ａ）を参照）
Ｇ０（ｘ，ｙ）は、背景画像（ＮＩＰＰＯＮ１／日本一／富士山の文字情報と富士山図形を表した画像情報）であり、この画像情報を画像表示面Ｓに拡大表示する。
次に、レーザーポインターＬＰで、上記Ｇ０（ｘ，ｙ）の定点を指し示し、指し示した部分を指し部ＬＰ０（レーザー光が当たった部分で一定の波長の光のみの塗りつぶされた円となる。）とする。
上記の操作により画像表示面Ｓに表示された投射画像ＧをカメラＣＡで読み取り、画像処理デバイス４０へ送信する。
画像表示面Ｓに表示された投射画像Ｇを図８の図（ａ）に示す。
●ステップ２（図８の図（ｂ）を参照）
画像処理デバイス４０へ送信さそれた、画像情報Ｇ（ｘ，ｙ）から、レーザー光が当たった部分で一定の波長の光のみの塗りつぶされた円部分を抽出し、他の画像部分を０とした指し部ＬＰ０を表したものが、図８の図（ｂ）である。
指し部ＬＰ０の中心は図形処理をして容易に算出され、算出された指し点Ｐ０（ｘ，ｙ）も、指し部ＬＰ０の中心点として、図８の図（ｂ）に表示されている。
●ステップ３（図８の図（ｃ）を参照）
上記により、指し点Ｐ０（ｘ，ｙ）が算出された後に、定点Ｐ０（ｘ，ｙ）を示す標準図形（例えば、右向き矢印図形）を示したものが、図８の図（ｃ）に表している。
標準図形は、予めテンプレートとして用意されており、定点Ｐ０（ｘ，ｙ）が決まれば、画像情報として表示することができる。
●ステップ４（図８の図（ｄ）を参照）
背景画像（ＮＩＰＰＯＮ１／日本一／富士山の文字情報と富士山図形を表した画像情報）Ｇ０（ｘ，ｙ）と上記標準図形の画像情報ｈｇ（ｘ，ｙ）から、新たな画像情報Ｇ０（ｘ，ｙ）を画像合成する画像処理方法を以下説明する。
画像表示面に拡大投射しようとする画像情報Ｇ０（ｘ，ｙ）とし、標準図形の画像情報ｈｇ（ｘ，ｙ）とすれば、
標準図形の画像情報ｈｇの範囲の（ｘ，ｙ）に対しては、（２−１）式で算出する。
Ｇ０（ｘ，ｙ）＝  Ｍ０（ｘ，ｙ）……（２−１）式
標準図形の画像情報ｈｇの範囲以外の（ｘ，ｙ）に対しては、（２−２）式で算出する。
Ｇ０（ｘ，ｙ）＝  Ｇ０（ｘ，ｙ）……（２−２）式
上記のようにして算出した、画像情報Ｇ０（ｘ，ｙ）を本発明に係る、プロジェクター付き携帯電話装置１００で画像表示面Ｓに拡大表示させると図８の図（ｄ）のようになる。
ここに、背景画像（ＮＩＰＰＯＮ１／日本一／富士山の文字情報と富士山図形を表した画像情報）がＧ０（ｘ，ｙ）であり、標準図形の画像情報がｈｇ  （ｘ，ｙ）であり、画像情報ｈｇ（ｘ，ｙ）は、引数Ｐ０（ｘ，ｙ）の標準図形として画像記憶デバイスＧＭに予め記憶されている。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
＜指し棒ＰＢから指し点の座標Ｐ０（ｘ，ｙ）を算出する方法＞
●ステップ１（図９の図（ａ）を参照）
Ｇ０（ｘ，ｙ）は、背景画像（ＮＩＰＰＯＮ１／日本一／富士山の文字情報と富士山図形を表した画像情報）であり、この画像情報を画像表示面Ｓに拡大表示する。
次に、指し棒ＰＢで、上記Ｇ０（ｘ，ｙ）の定点を指し示し、投射画像面Ｓに映った指し棒の映像を指し棒ＰＢ（指し棒は影となり黒色のみで塗りつぶされた棒形状となる。）とする。
上記の操作により画像表示面Ｓに表示された投射画像ＧをカメラＣＡで読み取り、画像処理デバイス４０へ送信する。
画像表示面Ｓに表示された投射画像Ｇを図９の図（ａ）に示す。
●ステップ２（図９の図（ｂ）を参照）
画像処理デバイス４０へ送信さそれた、画像情報Ｇ（ｘ，ｙ）から、黒色のみで塗りつぶされた棒形状である指し棒ＰＢを抽出し、他の画像部分を０とした指し棒ＰＢを表したものが、図９の図（ｂ）である。
指し棒ＰＢの棒形状をスケルトン化処理して線形状にし、線形状の端点の内画像情報の縁に位置しない点を、指し点Ｐ０として容易に算出することができ、算出された指し点Ｐ０（ｘ，ｙ）も、図９の図（ｂ）に表示されている。
●ステップ３（図９の図（ｃ）を参照）
上記により、指し点Ｐ０（ｘ，ｙ）が算出された後に、定点Ｐ０（ｘ，ｙ）を示す標準図形（例えば、右向き矢印図形）を示したものが、図９の図（ｃ）に表している。
標準図形は、予めテンプレートとして用意されており、定点Ｐ０（ｘ，ｙ）が決まれば、画像情報として表示することができる。
●ステップ４（図９の図（ｄ）を参照）
背景画像（ＮＩＰＰＯＮ１／日本一／富士山の文字情報と富士山図形を表した画像情報）Ｇ０（ｘ，ｙ）と上記標準図形の画像情報ｈｇ（ｘ，ｙ）から、新たな画像情報Ｇ０（ｘ，ｙ）を画像合成する画像処理方法を以下説明する。
画像表示面に拡大投射しようとする画像情報Ｇ０（ｘ，ｙ）とし、標準図形の画像情報ｈｇ（ｘ，ｙ）とすれば、
標準図形の画像情報ｈｇの範囲の（ｘ，ｙ）に対しては、（３−１）式で算出する。
Ｇ０（ｘ，ｙ）＝  ｈｇ（ｘ，ｙ）……（３−１）式
標準図形の画像情報ｈｇの範囲以外の（ｘ，ｙ）に対しては、（３−２）式で算出する。
Ｇ０（ｘ，ｙ）＝  Ｇ０（ｘ，ｙ）……（３−２）式
上記のようにして算出した、画像情報Ｇ０（ｘ，ｙ）を本発明に係る、プロジェクター付き携帯電話装置１００で画像表示面Ｓに拡大表示させると図９の図（ｄ）のようになる。
ここに、背景画像（ＮＩＰＰＯＮ１／日本一／富士山の文字情報と富士山図形を表した画像情報）がＧ０（ｘ，ｙ）であり、標準図形の画像情報がｈｇ  （ｘ，ｙ）であり、画像情報ｈｇ（ｘ，ｙ）は、引数Ｐ０（ｘ，ｙ）の標準図形として画像記憶デバイスＧＭに予め記憶されている。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、ＬＥＤ発光装置（１０）、デジタルミラーデバイス（ＤＭＤ）、及び、光学系投射装置（５０）、及び、焦点調節デバイス（５５）からなり画像表示面（Ｓ）に画像情報を拡大表示するプロジェクター付き携帯電話装置において、当該画像情報が、当該携帯電話装置に記憶されている画像情報、及び／又は、他の携帯電話装置から送信されてきた画像情報であると共に、ＬＥＤ発光装置（１０）が、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させて、発光させた赤色、緑色、青色をデジタルミラーデバイス（ＤＭＤ）に当てて反射させて画像光とした後に、光学系投射装置（５０）が、画像表示面（Ｓ）に画像情報を拡大表示し、
画像表示面Ｓに拡大投射された投射画像の目盛り部の画像の目盛りの点をレーザーポインターで指し示した指し部ＬＰ０とし、画像表示面（Ｓ）に表示させる画像情報をカメラ（ＣＡ）で撮影し、画像処理によってレーザーポインターの指し点（Ｐ０）の位置を算出することによりパラメーターαがあたえられ、焦点調節デバイス（５５）が与えられたパラメーターαに応じて画像表示面（Ｓ）に拡大表示する画像情報の焦点を合わせることを特徴とするプロジェクター付き携帯電話装置である。
○第２の発明（請求項２に記載の発明）
上記の課題を解決するための第２の発明（請求項２に記載の発明）は、白色ＬＥＤ発光装置（２０）、デジタルミラーデバイス（ＤＭＤ）、及び、光学系投射装置（５０）、及び、焦点調節デバイス（５５）からなり画像表示面（Ｓ）に画像情報を拡大表示するプロジェクター付き携帯電話装置において、当該画像情報が、当該携帯電話装置に記憶されている画像情報、及び／又は、他の携帯電話装置から送信されてきた画像情報であると共に、白色ＬＥＤ発光装置（２０）が、白色ＬＥＤとカラーホイールからなり、カラーホイールは、白色ＬＥＤとデジタルミラーデバイス（ＤＭＤ）の間に配置し回転させて、赤色、緑色、青色の光を時分割により発光させて、発光させた赤色、緑色、青色をデジタルミラーデバイス（ＤＭＤ）に当て反射させて画像光とした後に、光学系投射装置（５０）が、画像表示面（Ｓ）に画像情報を拡大表示し、
画像表示面Ｓに拡大投射された投射画像の目盛り部の画像の目盛りの点をレーザーポインターで指し示した指し部ＬＰ０とし、画像表示面（Ｓ）に表示させる画像情報をカメラ（ＣＡ）で撮影し、画像処理によってレーザーポインターの指し点（Ｐ０）の位置を算出することによりパラメーターαがあたえられ、焦点調節デバイス（５５）が与えられたパラメーターαに応じて画像表示面（Ｓ）に拡大表示する画像情報の焦点を合わせることを特徴とする請求項１に記載されたプロジェクター付き携帯電話装置である。
○第３の発明（請求項３に記載の発明）
上記の課題を解決するための第３の発明（請求項３に記載の発明）は、ＬＥＤ発光装置（１０）、デジタルミラーデバイス（ＤＭＤ）、及び、光学系投射装置（５０）、及び、焦点調節デバイス（５５）からなり画像表示面（Ｓ）に画像情報を拡大表示するプロジェクター付き携帯電話装置において、当該画像情報が、当該携帯電話装置に記憶されている画像情報、及び／又は、他の携帯電話装置から送信されてきた画像情報であると共に、ＬＥＤ発光装置（１０）が、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させて、発光させた赤色、緑色、青色をデジタルミラーデバイス（ＤＭＤ）に当てて反射させて画像光とした後に、光学系投射装置（５０）が、画像表示面（Ｓ）に画像情報を拡大表示し、
画像表示面Ｓに拡大投射された投射画像の目盛り部の画像の目盛りの点を指し棒（ＰＢ）で指し示した指し部（ＬＰ０）とし、画像表示面（Ｓ）に表示させる画像情報をカメラ（ＣＡ）で撮影し、画像処理によってレーザーポインターの指し点（Ｐ０）の位置を算出することによりパラメーターαがあたえられ、焦点調節デバイス（５５）が与えられたパラメーターαに応じて画像表示面（Ｓ）に拡大表示する画像情報の焦点を合わせることを特徴とする請求項１〜２の何れかに記載されたプロジェクター付き携帯電話装置である。
○第４の発明（請求項４に記載の発明）
上記の課題を解決するための第４の発明（請求項４に記載の発明）は、白色ＬＥＤ発光装置（２０）、デジタルミラーデバイス（ＤＭＤ）、及び、光学系投射装置（５０）、及び、焦点調節デバイス（５５）からなり画像表示面（Ｓ）に画像情報を拡大表示するプロジェクター付き携帯電話装置において、当該画像情報が、当該携帯電話装置に記憶されている画像情報、及び／又は、他の携帯電話装置から送信されてきた画像情報であると共に、白色ＬＥＤ発光装置（２０）が、白色ＬＥＤとカラーホイールからなり、カラーホイールは、白色ＬＥＤとデジタルミラーデバイス（ＤＭＤ）の間に配置し回転させて、赤色、緑色、青色の光を時分割により発光させて、発光させた赤色、緑色、青色をデジタルミラーデバイス（ＤＭＤ）に当て反射させて画像光とした後に、光学系投射装置（５０）が、画像表示面（Ｓ）に画像情報を拡大表示し、
画像表示面Ｓに拡大投射された投射画像の目盛り部の画像の目盛りの点を指し棒（ＰＢ）で指し示した指し部ＬＰ０とし、画像表示面（Ｓ）に表示させる画像情報をカメラ（ＣＡ）で撮影し、画像処理によってレーザーポインターの指し点（Ｐ０）の位置を算出することによりパラメーターαがあたえられ、焦点調節デバイス（５５）が与えられたパラメーターαに応じて画像表示面（Ｓ）に拡大表示する画像情報の焦点を合わせることを特徴とする請求項１〜３の何れかに記載されたプロジェクター付き携帯電話装置である。
○第５の発明（請求項５に記載の発明）
上記の課題を解決するための第５の発明（請求項５に記載の発明）は、上記パラメーターαが、焦点調節デバイス５５と画像表示面Ｓの距離に相当するパラメーターであることを特徴とする請求項１〜４の何れかに記載されたプロジェクター付き携帯電話装置である。
○第６の発明（請求項６に記載の発明）
上記の課題を解決するための第６の発明（請求項６に記載の発明）は、上記プロジェクター付き携帯電話装置において、画像表示面Ｓにレーザーポインターによって指し点Ｐ０の画像を表示させる場合、画像表示面Ｓに表示させる画像情報をカメラＣＡで撮影し、画像処理によってレーザーポインターの指し点Ｐ０の位置を算出することを特徴とする請求項１〜５の何れかに記載されたプロジェクター付き携帯電話装置である。
○第７の発明（請求項７に記載の発明）
上記の課題を解決するための第７の発明（請求項７に記載の発明）は、上記プロジェクター付き携帯電話装置において、画像表示面Ｓに指し棒ＰＢによって指し棒ＰＢの画像を表示させる場合、画像表示面Ｓに表示させた画像をデジタルカメラＣＡで撮影し、得た画像情報を画像処理によって指し棒ＰＢの指し点Ｐ０の位置を算出することを特徴とする請求項１〜６の何れかに記載されたプロジェクター付き携帯電話装置である。
○第８の発明（請求項８に記載の発明）
上記の課題を解決するための第８の発明（請求項８に記載の発明）は、上記プロジェクター付き携帯電話装置において、画像表示面Ｓが掌であることを特徴とする請求項１〜７の何れかに記載されたプロジェクター付き携帯電話装置である。
○第９の発明（請求項９に記載の発明）
上記の課題を解決するための第９の発明（請求項９に記載の発明）は、上記プロジェクター付き携帯電話装置において、画像表示面Ｓがスクリーン、壁、ノート、紙面等であることであることを特徴とする請求項１〜８の何れかに記載されたプロジェクター付き携帯電話装置である。
○第１０の発明（請求項１０に記載の発明）
上記プロジェクター付き携帯電話装置において、電源の充電は、充電器に繋いで充電する、又は、自動巻き装置により充電する、又は、バンドをソーラ―システムとして充電することを特徴とする請求項１〜９の何れかにに記載されたプロジェクター付き携帯電話装置である。
○第１１の発明（請求項１１に記載の発明）
上記携帯電話装置が、腕時計型ウェアラブル携帯電話装置、又は、ペンダント型ウェアラブル携帯電話装置であることを特徴とする請求項１〜１０の何れかにに記載されたプロジェクター付き携帯電話装置である。
【発明の効果】
【０００７】
本発明に係る、プロジェクター付き携帯電話装置は、上記のような特徴的構成要件から構成され、特徴的構成要件に応じた、以下のような本願発明特有の効果を奏する。
また、上記の各発明に応じた、上記のような特徴的構成要件から構成されたプロジェクター付き携帯電話装置によれば、本願発明の課題を十分解消することができた。
○第１の発明の効果
第１の発明によれば、ＬＥＤ発光装置（１０）、デジタルミラーデバイス（ＤＭＤ）、及び、光学系投射装置（５０）、及び、焦点調節デバイス（５５）からなり画像表示面（Ｓ）に画像情報を拡大表示するプロジェクター付き携帯電話装置において、当該画像情報が、当該携帯電話装置に記憶されている画像情報、及び／又は、他の携帯電話装置から送信されてきた画像情報であると共に、ＬＥＤ発光装置（１０）が、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させて、発光させた赤色、緑色、青色をデジタルミラーデバイス（ＤＭＤ）に当てて反射させて画像光とした後に、光学系投射装置（５０）が、画像表示面（Ｓ）に画像情報を拡大表示し、
画像表示面Ｓに拡大投射された投射画像の目盛り部の画像の目盛りの点をレーザーポインターで指し示した指し部ＬＰ０とし、画像表示面（Ｓ）に表示させる画像情報をカメラ（ＣＡ）で撮影し、画像処理によってレーザーポインターの指し点（Ｐ０）の位置を算出することによりパラメーターαがあたえられ、焦点調節デバイス（５５）が与えられたパラメーターαに応じて画像表示面（Ｓ）に拡大表示する画像情報の焦点を合わせることという特徴的な構成要件により、本発明が解決しようとする第１課題〜第５課題を達成することができ、当業者予測不可能な顕著な効果を奏することができた。
○第２の発明の効果
第２の発明によれば、白色ＬＥＤ発光装置（２０）、デジタルミラーデバイス（ＤＭＤ）、及び、光学系投射装置（５０）、及び、焦点調節デバイス（５５）からなり画像表示面（Ｓ）に画像情報を拡大表示するプロジェクター付き携帯電話装置において、当該画像情報が、当該携帯電話装置に記憶されている画像情報、及び／又は、他の携帯電話装置から送信されてきた画像情報であると共に、白色ＬＥＤ発光装置（２０）が、白色ＬＥＤとカラーホイールからなり、カラーホイールは、白色ＬＥＤとデジタルミラーデバイス（ＤＭＤ）の間に配置し回転させて、赤色、緑色、青色の光を時分割により発光させて、発光させた赤色、緑色、青色をデジタルミラーデバイス（ＤＭＤ）に当て反射させて画像光とした後に、光学系投射装置（５０）が、画像表示面（Ｓ）に画像情報を拡大表示し、
画像表示面Ｓに拡大投射された投射画像の目盛り部の画像の目盛りの点をレーザーポインターで指し示した指し部ＬＰ０とし、画像表示面（Ｓ）に表示させる画像情報をカメラ（ＣＡ）で撮影し、画像処理によってレーザーポインターの指し点（Ｐ０）の位置を算出することによりパラメーターαがあたえられ、焦点調節デバイス（５５）が与えられたパラメーターαに応じて画像表示面（Ｓ）に拡大表示する画像情報の焦点を合わせることという特徴的な構成要件により、本発明が解決しようとする第１課題〜第５課題を達成することができ、当業者予測不可能な顕著な効果を奏することができた。
○第３の発明の効果
第３の発明によれば、ＬＥＤ発光装置（１０）、デジタルミラーデバイス（ＤＭＤ）、及び、光学系投射装置（５０）、及び、焦点調節デバイス（５５）からなり画像表示面（Ｓ）に画像情報を拡大表示するプロジェクター付き携帯電話装置において、当該画像情報が、当該携帯電話装置に記憶されている画像情報、及び／又は、他の携帯電話装置から送信されてきた画像情報であると共に、ＬＥＤ発光装置（１０）が、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させて、発光させた赤色、緑色、青色をデジタルミラーデバイス（ＤＭＤ）に当てて反射させて画像光とした後に、光学系投射装置（５０）が、画像表示面（Ｓ）に画像情報を拡大表示し、
画像表示面Ｓに拡大投射された投射画像の目盛り部の画像の目盛りの点を指し棒（ＰＢ）で指し示した指し部（ＬＰ０）とし、画像表示面（Ｓ）に表示させる画像情報をカメラ（ＣＡ）で撮影し、画像処理によってレーザーポインターの指し点（Ｐ０）の位置を算出することによりパラメーターαがあたえられ、焦点調節デバイス（５５）が与えられたパラメーターαに応じて画像表示面（Ｓ）に拡大表示する画像情報の焦点を合わせることという特徴的な構成要件により、本発明が解決しようとする第１課題〜第５課題を達成することができ、当業者予測不可能な顕著な効果を奏することができた。
○第４の発明の効果
第４の発明によれば、白色ＬＥＤ発光装置（２０）、デジタルミラーデバイス（ＤＭＤ）、及び、光学系投射装置（５０）、及び、焦点調節デバイス（５５）からなり画像表示面（Ｓ）に画像情報を拡大表示するプロジェクター付き携帯電話装置において、当該画像情報が、当該携帯電話装置に記憶されている画像情報、及び／又は、他の携帯電話装置から送信されてきた画像情報であると共に、白色ＬＥＤ発光装置（２０）が、白色ＬＥＤとカラーホイールからなり、カラーホイールは、白色ＬＥＤとデジタルミラーデバイス（ＤＭＤ）の間に配置し回転させて、赤色、緑色、青色の光を時分割により発光させて、発光させた赤色、緑色、青色をデジタルミラーデバイス（ＤＭＤ）に当て反射させて画像光とした後に、光学系投射装置（５０）が、画像表示面（Ｓ）に画像情報を拡大表示し、
画像表示面Ｓに拡大投射された投射画像の目盛り部の画像の目盛りの点を指し棒（ＰＢ）で指し示した指し部ＬＰ０とし、画像表示面（Ｓ）に表示させる画像情報をカメラ（ＣＡ）で撮影し、画像処理によってレーザーポインターの指し点（Ｐ０）の位置を算出することによりパラメーターαがあたえられ、焦点調節デバイス（５５）が与えられたパラメーターαに応じて画像表示面（Ｓ）に拡大表示する画像情報の焦点を合わせることという特徴的な構成要件により、本発明が解決しようとする第１課題〜第５課題を達成することができ、当業者予測不可能な顕著な効果を奏することができた。
○第５の発明の効果
第５の発明によれば、上記パラメーターαが、焦点調節デバイス５５と画像表示面Ｓの距離に相当するパラメーターであることという特徴的な構成要件により、本発明が解決しようとする第１課題〜第５課題を達成することができ、当業者予測不可能な顕著な効果を奏することができた。
○第６の発明の効果
第６の発明によれば、上記プロジェクター付き携帯電話装置において、画像表示面Ｓにレーザーポインターによって指し点Ｐ０の画像を表示させる場合、画像表示面Ｓに表示させる画像情報をカメラＣＡで撮影し、画像処理によってレーザーポインターの指し点Ｐ０の位置を算出することという特徴的な構成要件により、本発明が解決しようとする第１課題〜第５課題を達成することができ、当業者予測不可能な顕著な効果を奏することができた。
○第７の発明の効果
第７の発明によれば、上記プロジェクター付き携帯電話装置において、画像表示面Ｓに指し棒ＰＢによって指し棒ＰＢの画像を表示させる場合、画像表示面Ｓに表示させた画像をデジタルカメラＣＡで撮影し、得た画像情報を画像処理によって指し棒ＰＢの指し点Ｐ０の位置を算出することという特徴的な構成要件により、本発明が解決しようとする第１課題〜第５課題を達成することができ、当業者予測不可能な顕著な効果を奏することができた。
○第８の発明の効果
第８の発明によれば、上記プロジェクター付き携帯電話装置において、画像表示面Ｓが掌であることという特徴的な構成要件により、本発明が解決しようとする第１課題〜第５課題を達成することができ、当業者予測不可能な顕著な効果を奏することができた。
○第９の発明の効果
第９の発明によれば、上記プロジェクター付き携帯電話装置において、画像表示面Ｓがスクリーン、壁、ノート、紙面等であることであることという特徴的な構成要件により、本発明が解決しようとする第１課題〜第５課題を達成することができ、当業者予測不可能な顕著な効果を奏することができた。
○第１０の発明の効果
第１０の発明によれば、上記プロジェクター付き携帯電話装置において、電源の充電は、充電器に繋いで充電する、又は、自動巻き装置により充電する、又は、バンドをソーラ―システムとして充電することという特徴的な構成要件により、本発明が解決しようとする第１課題〜第５課題を達成することができ、当業者予測不可能な顕著な効果を奏することができた。
○第１１の発明の効果
第１１の発明によれば、上記携帯電話装置が、腕時計型ウェアラブル携帯電話装置、又は、ペンダント型ウェアラブル携帯電話装置であることという特徴的な構成要件により、本発明が解決しようとする第１課題〜第５課題を達成することができ、当業者予測不可能な顕著な効果を奏することができた。
【発明を実施するための最良の形態】
【０００８】
以下、本発明に係る、プロジェクター付き携帯電話装置に関する最良の実施形態について、図１〜図１１を参照しながら説明する。
●図１は、本発明（請求項１記載発明）に係る、プロジェクター付き携帯電話装置１００の構成を示す図である。
●図２は、本発明（請求項２記載発明）に係る、プロジェクター付き携帯電話装置１００の構成を示す図である。
●図３は、本発明（請求項２記載発明）に係る、プロジェクター付き携帯電話装置１００の構成を示す図である。
●図４は、本発明（請求項１記載発明）に係る、ＬＥＤ発光装置１００が、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させて、発光させた赤色、緑色、青色をデジタルミラーデバイスＤＭＤに当てて反射させて画像光ｇｌとするための構成図を示す。
●図５は、本発明（請求項２記載発明）に係る、白色ＬＥＤ発光装置２００が、白色ＬＥＤとカラーホイールからなり、カラーホイールは、白色ＬＥＤとデジタルミラーデバイスＤＭＤの間に配置し回転させて、赤色、緑色、青色の光を時分割により発光させて、発光させた赤色、緑色、青色をデジタルミラーデバイスＤＭＤに当て反射させて画像光ｇｌとするための構成図を示す。
●図６は、パラメーターαを焦点調節デバイスに与えるための第２の方法の構成図を示す。
●図７は、パラメーターαを焦点調節デバイスに与えるための第３の方法の構成図を示す。
図７の図（ａ）は、画像情報Ｇ０に目盛り部Ｍ０を画像処理により重ね合わせた画像情報Ｇ０を拡大投射して画像表示部Ｓに表示された投射画像Ｇを表す。
図７の図（ｂ）は、  図７の図（ａ）における目盛り部Ｍ０を拡大した拡大図を表す。
●図８は、レーザーポーインターＬＰの指し部ＬＰ０から指し点の座標Ｐ０（ｘ，ｙ）を算出する方法の図を示す。
図８図（ａ）は、画像表示面Ｓに拡大表示された投射画像にレーザーポインターで指し示す指部ＬＰ０とを重ね合わせた画像情報の投射画像Ｇを表す。
図８の図（ｂ）は、レーザーポーインターＬＰの指し部ＬＰ０を上記投射画像Ｇから画像処理して抽出した画像情報を表す。
図８の図（ｃ）は、引数をＰ０（ｘ，ｙ）とした標準図形ｈｇ（ｘ，ｙ）を表す。
図８の図（ｄ）は、画像情報Ｇ０に標準図形ｈｇを図形処理により重ね合わせて画像表示部Ｓに表示した投射画像Ｇを表す。
●図９は、指し棒ＰＢから指し点の座標Ｐ０（ｘ，ｙ）を算出する方法の図を示す。
図９図（ａ）は、画像表示面Ｓに拡大表示された投射画像に指し棒ＢＰで指し示す指し棒ＢＰとを重ね合わせた画像情報の投射画像Ｇを表す。
図９の図（ｂ）は、指し棒の指し棒ＢＰをを上記投射画像Ｇから画像処理して抽出した画像情報を表す。
図９の図（ｃ）は、引数をＰ０（ｘ，ｙ）とした標準図形ｈｇ（ｘ，ｙ）を表す。
図９の図（ｄ）は、画像情報Ｇ０に標準図形ｈｇを図形処理により重ね合わせて画像表示部Ｓに表示した投射画像Ｇを表す。
●図１０は本発明（請求項２記載発明）に係る、カラーホイールＣＷを示す図である。
●図１１は、上記携帯電話装置が、腕時計型ウェアラブル携帯電話装置である場合の図を示す。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のプロジェクター付き携帯電話装置１００において、ＬＥＤ発光装置１０、デジタルミラーデバイスＤＭＤ、及び、光学系投射装置５０、及び、焦点調節デバイス５５からなり画像表示面Ｓに画像情報を拡大表示するプロジェクター付き携帯電話装置において、当該画像情報が、当該携帯電話装置に記憶されている画像情報、及び／又は、他の携帯電話装置から送信されてきた画像情報であると共に、ＬＥＤ発光装置１０が、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させて、発光させた赤色、緑色、青色をデジタルミラーデバイスＤＭＤに当てて反射させて画像光とした後に、光学系投射装置５０が、画像表示面Ｓに画像情報を拡大表示し、
画像表示面Ｓに拡大投射された投射画像の目盛り部の画像の目盛りの点をレーザーポインターで指し示した指し部ＬＰ０とし、画像表示面Ｓに表示させる画像情報をカメラＣＡで撮影し、画像処理によってレーザーポインターの指し点（Ｐ０）の位置を算出することによりパラメーターαがあたえられ、焦点調節デバイス５５が与えられたパラメーターαに応じて画像表示面Ｓに拡大表示する画像情報の焦点を合わせることを特徴とするプロジェクター付き携帯電話装置が開示されている（図１、図４、図７）。
○第１の発明の効果
第１の発明によれば、ＬＥＤ発光装置１０、デジタルミラーデバイスＤＭＤ、及び、光学系投射装置５０、及び、焦点調節デバイス５５からなり画像表示面Ｓに画像情報を拡大表示するプロジェクター付き携帯電話装置において、当該画像情報が、当該携帯電話装置に記憶されている画像情報、及び／又は、他の携帯電話装置から送信されてきた画像情報であると共に、ＬＥＤ発光装置１０が、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させて、発光させた赤色、緑色、青色をデジタルミラーデバイスＤＭＤに当てて反射させて画像光とした後に、光学系投射装置５０が、画像表示面Ｓに画像情報を拡大表示し、
画像表示面Ｓに拡大投射された投射画像の目盛り部の画像の目盛りの点をレーザーポインターで指し示した指し部ＬＰ０とし、画像表示面Ｓに表示させる画像情報をカメラＣＡで撮影し、画像処理によってレーザーポインターの指し点（Ｐ０）の位置を算出することによりパラメーターαがあたえられ、焦点調節デバイス５５が与えられたパラメーターαに応じて画像表示面Ｓに拡大表示する画像情報の焦点を合わせることという特徴的な構成要件により、本発明が解決しようとする第１課題〜第５課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のプロジェクター付き携帯電話装置１００において、白色ＬＥＤ発光装置２０、デジタルミラーデバイスＤＭＤ、及び、光学系投射装置５０、及び、焦点調節デバイス５５からなり画像表示面Ｓに画像情報を拡大表示するプロジェクター付き携帯電話装置において、当該画像情報が、当該携帯電話装置に記憶されている画像情報、及び／又は、他の携帯電話装置から送信されてきた画像情報であると共に、白色ＬＥＤ発光装置２０が、白色ＬＥＤとカラーホイールからなり、カラーホイールは、白色ＬＥＤとデジタルミラーデバイスＤＭＤの間に配置し回転させて、赤色、緑色、青色の光を時分割により発光させて、発光させた赤色、緑色、青色をデジタルミラーデバイスＤＭＤに当て反射させて画像光とした後に、光学系投射装置５０が、画像表示面Ｓに画像情報を拡大表示し、
画像表示面Ｓに拡大投射された投射画像の目盛り部の画像の目盛りの点をレーザーポインターで指し示した指し部ＬＰ０とし、画像表示面Ｓに表示させる画像情報をカメラＣＡで撮影し、画像処理によってレーザーポインターの指し点（Ｐ０）の位置を算出することによりパラメーターαがあたえられ、焦点調節デバイス５５が与えられたパラメーターαに応じて画像表示面Ｓに拡大表示する画像情報の焦点を合わせることを特徴とする請求項１に記載されたプロジェクター付き携帯電話装置が開示されている（図２）。
○第２の発明の効果
第２の発明によれば、白色ＬＥＤ発光装置２０、デジタルミラーデバイスＤＭＤ、及び、光学系投射装置５０、及び、焦点調節デバイス５５からなり画像表示面Ｓに画像情報を拡大表示するプロジェクター付き携帯電話装置において、当該画像情報が、当該携帯電話装置に記憶されている画像情報、及び／又は、他の携帯電話装置から送信されてきた画像情報であると共に、白色ＬＥＤ発光装置２０が、白色ＬＥＤとカラーホイールからなり、カラーホイールは、白色ＬＥＤとデジタルミラーデバイスＤＭＤの間に配置し回転させて、赤色、緑色、青色の光を時分割により発光させて、発光させた赤色、緑色、青色をデジタルミラーデバイスＤＭＤに当て反射させて画像光とした後に、光学系投射装置５０が、画像表示面Ｓに画像情報を拡大表示し、
画像表示面Ｓに拡大投射された投射画像の目盛り部の画像の目盛りの点をレーザーポインターで指し示した指し部ＬＰ０とし、画像表示面Ｓに表示させる画像情報をカメラＣＡで撮影し、画像処理によってレーザーポインターの指し点（Ｐ０）の位置を算出することによりパラメーターαがあたえられ、焦点調節デバイス５５が与えられたパラメーターαに応じて画像表示面Ｓに拡大表示する画像情報の焦点を合わせることという特徴的な構成要件により、本発明が解決しようとする第１課題〜第５課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のプロジェクター付き携帯電話装置１００において、ＬＥＤ発光装置１０、デジタルミラーデバイスＤＭＤ、及び、光学系投射装置５０、及び、焦点調節デバイス５５からなり画像表示面Ｓに画像情報を拡大表示するプロジェクター付き携帯電話装置において、当該画像情報が、当該携帯電話装置に記憶されている画像情報、及び／又は、他の携帯電話装置から送信されてきた画像情報であると共に、ＬＥＤ発光装置１０が、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させて、発光させた赤色、緑色、青色をデジタルミラーデバイスＤＭＤに当てて反射させて画像光とした後に、光学系投射装置５０が、画像表示面Ｓに画像情報を拡大表示し、
画像表示面Ｓに拡大投射された投射画像の目盛り部の画像の目盛りの点を指し棒（ＰＢ）で指し示した指し部ＬＰ０とし、画像表示面Ｓに表示させる画像情報をカメラＣＡで撮影し、画像処理によってレーザーポインターの指し点（Ｐ０）の位置を算出することによりパラメーターαがあたえられ、焦点調節デバイス５５が与えられたパラメーターαに応じて画像表示面Ｓに拡大表示する画像情報の焦点を合わせることを特徴とする請求項１〜２の何れかに記載されたプロジェクター付き携帯電話装置が開示されている。
○第３の発明の効果
第３の発明によれば、ＬＥＤ発光装置１０、デジタルミラーデバイスＤＭＤ、及び、光学系投射装置５０、及び、焦点調節デバイス５５からなり画像表示面Ｓに画像情報を拡大表示するプロジェクター付き携帯電話装置において、当該画像情報が、当該携帯電話装置に記憶されている画像情報、及び／又は、他の携帯電話装置から送信されてきた画像情報であると共に、ＬＥＤ発光装置１０が、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させて、発光させた赤色、緑色、青色をデジタルミラーデバイスＤＭＤに当てて反射させて画像光とした後に、光学系投射装置５０が、画像表示面Ｓに画像情報を拡大表示し、
画像表示面Ｓに拡大投射された投射画像の目盛り部の画像の目盛りの点を指し棒（ＰＢ）で指し示した指し部ＬＰ０とし、画像表示面Ｓに表示させる画像情報をカメラＣＡで撮影し、画像処理によってレーザーポインターの指し点（Ｐ０）の位置を算出することによりパラメーターαがあたえられ、焦点調節デバイス５５が与えられたパラメーターαに応じて画像表示面Ｓに拡大表示する画像情報の焦点を合わせることという特徴的な構成要件により、本発明が解決しようとする第１課題〜第５課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のプロジェクター付き携帯電話装置１００において、白色ＬＥＤ発光装置２０、デジタルミラーデバイスＤＭＤ、及び、光学系投射装置５０、及び、焦点調節デバイス５５からなり画像表示面Ｓに画像情報を拡大表示するプロジェクター付き携帯電話装置において、当該画像情報が、当該携帯電話装置に記憶されている画像情報、及び／又は、他の携帯電話装置から送信されてきた画像情報であると共に、白色ＬＥＤ発光装置２０が、白色ＬＥＤとカラーホイールからなり、カラーホイールは、白色ＬＥＤとデジタルミラーデバイスＤＭＤの間に配置し回転させて、赤色、緑色、青色の光を時分割により発光させて、発光させた赤色、緑色、青色をデジタルミラーデバイスＤＭＤに当て反射させて画像光とした後に、光学系投射装置５０が、画像表示面Ｓに画像情報を拡大表示し、
画像表示面Ｓに拡大投射された投射画像の目盛り部の画像の目盛りの点を指し棒（ＰＢ）で指し示した指し部ＬＰ０とし、画像表示面Ｓに表示させる画像情報をカメラＣＡで撮影し、画像処理によってレーザーポインターの指し点（Ｐ０）の位置を算出することによりパラメーターαがあたえられ、焦点調節デバイス５５が与えられたパラメーターαに応じて画像表示面Ｓに拡大表示する画像情報の焦点を合わせることを特徴とする請求項１〜３の何れかに記載されたプロジェクター付き携帯電話装置が開示されている（図１〜図３）。
○第４の発明の効果
第４の発明によれば、白色ＬＥＤ発光装置２０、デジタルミラーデバイスＤＭＤ、及び、光学系投射装置５０、及び、焦点調節デバイス５５からなり画像表示面Ｓに画像情報を拡大表示するプロジェクター付き携帯電話装置において、当該画像情報が、当該携帯電話装置に記憶されている画像情報、及び／又は、他の携帯電話装置から送信されてきた画像情報であると共に、白色ＬＥＤ発光装置２０が、白色ＬＥＤとカラーホイールからなり、カラーホイールは、白色ＬＥＤとデジタルミラーデバイスＤＭＤの間に配置し回転させて、赤色、緑色、青色の光を時分割により発光させて、発光させた赤色、緑色、青色をデジタルミラーデバイスＤＭＤに当て反射させて画像光とした後に、光学系投射装置５０が、画像表示面Ｓに画像情報を拡大表示し、
画像表示面Ｓに拡大投射された投射画像の目盛り部の画像の目盛りの点を指し棒（ＰＢ）で指し示した指し部ＬＰ０とし、画像表示面Ｓに表示させる画像情報をカメラＣＡで撮影し、画像処理によってレーザーポインターの指し点（Ｐ０）の位置を算出することによりパラメーターαがあたえられ、焦点調節デバイス５５が与えられたパラメーターαに応じて画像表示面Ｓに拡大表示する画像情報の焦点を合わせることという特徴的な構成要件により、本発明が解決しようとする第１課題〜第５課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のプロジェクター付き携帯電話装置１００において、上記パラメーターαが、焦点調節デバイス５５と画像表示面Ｓの距離に相当するパラメーターであることを特徴とする請求項１〜４の何れに記載されたプロジェクター付き携帯電話装置１００が開示されている。
○第５の発明の効果
第５の発明によれば、上記パラメーターαが、焦点調節デバイス５５と画像表示面Ｓの距離に相当するパラメーターであることという特徴的な構成要件により、本発明が解決しようとする第１課題〜第５課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記プロジェクター付き携帯電話装置１００において、画像表示面Ｓにレーザーポインターによって指し点Ｐ０の画像を表示させる場合、画像表示面Ｓに表示させる画像情報をカメラＣＡで撮影し、画像処理によってレーザーポインターの指し点Ｐ０の位置を算出することを特徴とする請求項１〜５の何れかに記載されたプロジェクター付き携帯電話装置１００が開示されている（図８）。
○第６の発明の効果
第６の発明によれば、上記プロジェクター付き携帯電話装置１００において、画像表示面Ｓにレーザーポインターによって指し点Ｐ０の画像を表示させる場合、画像表示面Ｓに表示させる画像情報をカメラＣＡで撮影し、画像処理によってレーザーポインターの指し点Ｐ０の位置を算出することという特徴的な構成要件により、本発明が解決しようとする第１課題〜第５課題を達成することができ、当業者予測不可能な顕著な効果を奏することができた。
７７７７７＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記プロジェクター付き携帯電話装置１００において、画像表示面Ｓに指し棒ＰＢによって指し棒ＰＢの画像を表示させる場合、画像表示面Ｓに表示させた画像をデジタルカメラＣＡで撮影し、得た画像情報を画像処理によって指し棒ＰＢの指し点Ｐ０の位置を算出することを特徴とする請求項１〜６の何れかに記載されたプロジェクター付き携帯電話装置１００が開示されている（図９）。
○第７の発明の効果
第７の発明によれば、上記プロジェクター付き携帯電話装置１００において、画像表示面Ｓに指し棒ＰＢによって指し棒ＰＢの画像を表示させる場合、画像表示面Ｓに表示させた画像をデジタルカメラＣＡで撮影し、得た画像情報を画像処理によって指し棒ＰＢの指し点Ｐ０の位置を算出することという特徴的な構成要件により、本発明が解決しようとする第１課題〜第５課題を達成することができ、当業者予測不可能な顕著な効果を奏することができた。
８８８８８＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のプロジェクター付き携帯電話装置１００において、画像表示面Ｓが掌であることを特徴とする請求項１〜７の何れかに記載されたプロジェクター付き携帯電話装置１００が開示されている。
○第８の発明の効果
第８の発明によれば、上記プロジェクター付き携帯電話装置１００において、画像表示面Ｓが掌であることという特徴的な構成要件により、本発明が解決しようとする第１課題〜第５課題を達成することができ、当業者予測不可能な顕著な効果を奏することができた。
９９９９９＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のプロジェクター付き携帯電話装置１００において、画像表示面Ｓがスクリーン、壁、ノート、紙面等であることであることを特徴とする請求項１〜８の何れかに記載されたプロジェクター付き携帯電話装置１００が開示されている。
○第９の発明の効果
第９の発明によれば、上記プロジェクター付き携帯電話装置１００において、画像表示面Ｓがスクリーン、壁、ノート、紙面等であることであることという特徴的な構成要件により、本発明が解決しようとする第１課題〜第５課題を達成することができ、当業者予測不可能な顕著な効果を奏することができた。
１０１０１０＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記プロジェクター付き携帯電話装置１００において、電源の充電は、充電器に繋いで充電する、又は、自動巻き装置により充電する、又は、バンドをソーラ―システムとして充電することを特徴とする請求項１〜８の何れかに記載されたプロジェクター付き携帯電話装置１００が開示されている。
○第１０の発明の効果
第１０の発明によれば、上記プロジェクター付き携帯電話装置１００において、電源の充電は、充電器に繋いで充電する、又は、自動巻き装置により充電する、又は、バンドをソーラ―システムとして充電することという特徴的な構成要件により、本発明が解決しようとする第１課題〜第５課題を達成することができ、当業者予測不可能な顕著な効果を奏することができた。
１１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記携帯電話装置が、腕時計型ウェアラブル携帯電話装置、又は、ペンダント型ウェアラブル携帯電話装置であることを特徴とする請求項１〜１０の何れかに記載されたプロジェクター付き携帯電話装置１００が開示されている。
○第１１の発明の効果
第１１の発明によれば、上記携帯電話装置が、腕時計型ウェアラブル携帯電話装置、又は、ペンダント型ウェアラブル携帯電話装置であることという特徴的な構成要件により、本発明が解決しようとする第１課題〜第５課題を達成することができ、当業者予測不可能な顕著な効果を奏することができた。
【図面の簡単な説明】
【０００９】
【図１】図１は、本発明（請求項１記載発明）に係る、プロジェクター付き携帯電話装置１００の構成を示す図である。
【図２】図２は、本発明（請求項２記載発明）に係る、プロジェクター付き携帯電話装置１００の構成を示す図である。
【図３】図３は、本発明（請求項２記載発明）に係る、プロジェクター付き携帯電話装置１００の構成を示す図である。
【図４】図４は、本発明（請求項１記載発明）に係る、ＬＥＤ発光装置１００が、赤色ＬＥＤ、緑色ＬＥＤ、青色ＬＥＤの三種類の独立したＬＥＤからなり、赤色ＬＥＤ、緑色ＬＥＤ、青色ＬＥＤを時分割により発光させて、発光させた赤色、緑色、青色をデジタルミラーデバイスＤＭＤに当てて反射させて画像光ｇｌとするための構成図を示す。
【図５】図５は、本発明（請求項２記載発明）に係る、白色ＬＥＤ発光装置２００が、白色ＬＥＤとカラーホイールからなり、カラーホイールは、白色ＬＥＤとデジタルミラーデバイスＤＭＤの間に配置し回転させて、赤色、緑色、青色の光を時分割により発光させて、発光させた赤色、緑色、青色をデジタルミラーデバイスＤＭＤに当て反射させて画像光ｇｌとするための構成図を示す。
【図６】図６は、パラメーターαを焦点調節デバイスに与えるための第２の方法の構成図を示す。
【図７】図７は、パラメーターαを焦点調節デバイスに与えるための第３の方法の構成図を示す。  図７の図（ａ）は、画像情報Ｇ０に目盛り部Ｍ０を画像処理により重ね合わせた画像情報Ｇ０を拡大投射して画像表示部Ｓに表示された投射画像Ｇを表す。  図７の図（ｂ）は、図７の図（ａ）における目盛り部Ｍ０を拡大した拡大図を表す。
【図８】図８は、レーザーポーインターＬＰの指し部ＬＰ０から指し点の座標Ｐ０（ｘ，ｙ）を算出する方法の図を示す。  図８図（ａ）は、画像表示面Ｓに拡大表示された投射画像にレーザーポインターで指し示す指部ＬＰ０とを重ね合わせた画像情報の投射画像Ｇを表す。  図８の図（ｂ）は、レーザーポーインターＬＰの指し部ＬＰ０を上記投射画像Ｇから画像処理して抽出した画像情報を表す。  図８の図（ｃ）は、引数をＰ０（ｘ，ｙ）とした標準図形ｈｇ（ｘ，ｙ）を表す。  図８の図（ｄ）は、画像情報Ｇ０に標準図形ｈｇを図形処理により重ね合わせて画像表示部Ｓに表示した投射画像Ｇを表す。
【図９】図９は、指し棒ＰＢから指し点の座標Ｐ０（ｘ，ｙ）を算出する方法の図を示す。  図９図（ａ）は、画像表示面Ｓに拡大表示された投射画像に指し棒ＢＰで指し示す指し棒ＢＰとを重ね合わせた画像情報の投射画像Ｇを表す。  図９の図（ｂ）は、指し棒の指し棒ＢＰをのを上記投射画像Ｇから画像処理して抽出した画像情報を表す。  図９の図（ｃ）は、引数をＰ（ｘ，ｙ）とした標準図形ｈｇ（ｘ，ｙ）を表す。  図９の図（ｄ）は、画像情報Ｇ０に標準図形ｈｇを図形処理により重ね合わせて画像表示部Ｓに表示した投射画像Ｇを表す。
【図１０】図１０は本発明（請求項２記載発明）に係る、カラーホイールＣＷを示す図である。
【図１１】図１１は、上記携帯電話装置が、腕時計型ウェアラブル携帯電話装置である場合の図を示す。
【符号の説明】
【００１０】
１０……ＬＥＤ発光装置
２０……白色ＬＥＤ発光装置
３０……レーザー発光装置
Ｒ１…赤色ＬＥＤ
Ｇ１…緑色ＬＥＤ
Ｂ１…青色ＬＥＤ
ＤＭＤ……デジタルミラーデバイス
５０……光学系投射装置
５５……焦点調節デバイス
ＣＷ……カラーホイール
Ｓ……画像表示面
Ｇ……投射画像
ＰＪ……プロジェクター
ＬＰ……レーザーポインター、レーザーポインターの指し部
ＬＰ０……レーザーポインターの指し部
ＰＢ……指し棒
Ｐ０……指し点
α……パラメーター
１００……プロジェクター付き携帯電話装置
２００……他の携帯電話装置
ＣＷ……無線通信手段
ＧＭ……画像記憶デバイス
４０……画像処理デバイス
ＴＮ……つまみ
Ａ……アンテナ
【要約】      （修正有）【課題】大きな面積の画像表示面に拡大表示することが可能で、専用のスクリーンを携帯しなくても、どこでも拡大表示可能であるプロジェクター付き携帯電話装置を提供する。【解決手段】ＬＥＤ発光装置１０、デジタルミラーデバイスＤＭＤ及び光学系投射装置５０からなり画像表示面Ｓに画像情報を拡大表示するプロジェクター付き携帯電話装置１００において、画像情報が、携帯電話装置に記憶されている画像情報及び／又は他の携帯電話から送信されてきた画像情報であると共に、ＬＥＤ発光装置１０が、三種類の独立したＬＥＤからなり、各ＬＥＤを時分割により発光させて、発光させた赤色、緑色、青色をデジタルミラーデバイスＤＭＤに当てて反射させて画像光ｇｌとした後に、光学系投射装置５０が、画像表示面Ｓに画像情報を拡大表示する。【選択図】図１【図１】
0005877914.tif 000002
【図２】
0005877914.tif 000003
【図３】
0005877914.tif 000004
【図４】
0005877914.tif 000005
【図５】
0005877914.tif 000006
【図６】
0005877914.tif 000007
【図１０】
0005877914.tif 000008
【図７】
0005877914.tif 000009
【図８】
0005877914.tif 000010
【図９】
0005877914.tif 000011
【図１１】
0005877914.tif 000012